(57)【要約】【課題】利用者が所有する買い物袋に店の宣伝効果を持たせる。【解決手段】広告表示割引システム１は、電子ペーパ３、管理サーバ４、バーコードリーダ５及びレジ６を備える。電子ペーパ３は、紙のように薄くて曲がり、電源なしでカラー表示を保持できるディスプレイであり、マイバッグとして用いられる買い物袋２の表面に貼り付けられ、管理サーバ４からダウンロードされたデータが表示される。管理サーバ４は、スーパー等の店内に設置され、店の広告データや買い物の割引用のバーコードデータを記憶し、それらのデータを操作に応じて電子ペーパ３に送信する。バーコードリーダ５は、電子ペーパ３に表示されたバーコードを読み取り、そのバーコードを割引用データ（例えば、割引率、割引額等）に変換し、その割引用データをレジ６に転送する。レジ６は、バーコードリーダ５から割引用データを受信し、その割引用データに基づいて買い物の精算を行う。【選択図】図１
2011185994.tif 000002
【特許請求の範囲】
【請求項１】
外部からデータを受信する受信部と、
前記受信部が受信した前記データに基づいて表示する表示部と、
を有し、前記表示部が外部から視認可能なように買い物袋に付された電子ペーパと、
店の広告データを記憶し、前記広告データを前記電子ペーパの前記受信部に送信するサーバと、
を備えることを特徴とする広告表示報奨システム。
【請求項２】
請求項１に記載の広告表示報奨システムであって、
前記サーバは、
当該店で付与されるインセンティブを示すコードデータをさらに記憶し、
前記広告データとともに前記コードデータを前記電子ペーパの前記受信部に送信する
ことを特徴とする広告表示報奨システム。
【請求項３】
請求項２に記載の広告表示報奨システムであって、
前記電子ペーパの前記表示部に前記コードデータに基づいて表示されたコードを読み取り、読み取って得られたデータを、前記インセンティブを示す値に変換するコードリーダと、
前記コードリーダから前記値を取得し、当該値に基づいて前記インセンティブを付与する処理を行うレジと、
をさらに備えることを特徴とする広告表示報奨システム。
【請求項４】
請求項２又は請求項３に記載の広告表示報奨システムであって、
前記インセンティブは、買い物の精算額の割引又はポイントの付与である
ことを特徴とする広告表示報奨システム。
【請求項５】
請求項２又は請求項３に記載の広告表示報奨システムであって、
前記コードデータは、バーコード又はＱＲコードのデータである
ことを特徴とする広告表示報奨システム。
【請求項６】
請求項１ないし請求項３のいずれか一項に記載の広告表示報奨システムであって、
前記サーバは、
前記電子ペーパの前記表示部の大きさに応じた前記広告データを記憶し、
前記表示部の大きさを取得して、その大きさに応じた前記広告データを前記電子ペーパの前記受信部に送信する
ことを特徴とする広告表示報奨システム。
【請求項７】
外部からデータを受信する受信部と、
前記受信部が受信した前記データに基づいて表示する表示部と、
を有する電子ペーパが、前記表示部が外部から視認可能なように付された
ことを特徴とする買い物袋。
【発明の詳細な説明】
【技術分野】
【０００１】
本発明は、電子ペーパ付買い物袋及びそれを用いた広告表示報奨システムに関する。
【背景技術】
【０００２】
昨今、地球環境保護の一環として、レジ袋の無料配布をやめる店が多くなっている。それに伴って、自前の買い物袋（マイバッグ）を持参する人が増えている。
【先行技術文献】
【特許文献】
【０００３】
【特許文献１】特開２００８−２６９１４４号公報
【発明の概要】
【発明が解決しようとする課題】
【０００４】
ところで、レジ袋は、買い物袋としての用途だけでなく、レジ袋の提供元である店を宣伝する機能も持つ。従って、マイバッグが普及し、レジ袋が配布されなくなると、店の宣伝効果を有する媒体が減ってしまう。  
なお、特許文献１には、電子ペーパを用いてリアルタイムに情報を掲示可能な掲示板提供システムが開示されているが、買い物袋に電子ペーパを取り付けて宣伝するものではない。
【０００５】
本発明は、上記課題を鑑みてなされたものであり、その主たる目的は、利用者が所有する買い物袋に店の宣伝効果を持たせることにある。
【課題を解決するための手段】
【０００６】
上記課題を解決するために、本発明は、広告表示報奨システムであって、外部からデータを受信する受信部と、前記受信部が受信した前記データに基づいて表示する表示部と、を有し、前記表示部が外部から視認可能なように買い物袋に付された電子ペーパと、店の広告データを記憶し、前記広告データを前記電子ペーパの前記受信部に送信するサーバと、を備えることを特徴とする。  
この構成によれば、店員は、顧客の買い物袋に店の広告が表示されていることを確認した上で、例えば、顧客に値引きやサービス品等のインセンティブを与えることにより、広告の表示を継続してもらうことができる。これによれば、買い物袋に店の宣伝効果を持たせることができる。
【０００７】
また、本発明は、上記広告表示報奨システムにおいて、前記サーバが、当該店で付与されるインセンティブを示すコードデータをさらに記憶し、前記広告データとともに前記コードデータを前記電子ペーパの前記受信部に送信することとしてもよい。  
この構成によれば、店員は、顧客の買い物袋に店の広告及びインセンティブのコードが表示されていることを確認した上で、例えば、表示されたコードに基づいてインセンティブを与えることにより、広告の表示を継続してもらうことができる。これによれば、買い物袋に店の宣伝効果を持たせることができる。
【０００８】
また、本発明は、上記広告表示報奨システムにおいて、前記電子ペーパの前記表示部に前記コードデータに基づいて表示されたコードを読み取り、読み取って得られたデータを、前記インセンティブを示す値に変換するコードリーダと、前記コードリーダから前記値を取得し、当該値に基づいて前記インセンティブを付与する処理を行うレジと、をさらに備えることとしてもよい。  
この構成によれば、コードリーダ及びレジを備えることにより、広告の表示に対するインセンティブの付与を自動で行うので、便利である。
【０００９】
また、本発明は、上記広告表示報奨システムにおいて、前記インセンティブが、買い物の精算額の割引又はポイントの付与であることとしてもよい。  
また、本発明は、上記広告表示報奨システムにおいて、前記コードデータが、バーコード又はＱＲコードのデータであることとしてもよい。
【００１０】
また、本発明は、上記広告表示報奨システムにおいて、前記サーバが、前記電子ペーパの前記表示部の大きさに応じた前記広告データを記憶し、前記表示部の大きさを取得して、その大きさに応じた前記広告データを前記電子ペーパの前記受信部に送信することとしてもよい。  
この構成によれば、買い物袋に表示される広告の大きさにより店の宣伝効果は異なる。そこで、電子ペーパの表示部の大きさに応じて、サーバから電子ペーパに送信する広告データを変えることにより、宣伝効果に応じたインセンティブを与えることができる。
【００１１】
また、本発明は、買い物袋であって、外部からデータを受信する受信部と、前記受信部が受信した前記データに基づいて表示する表示部と、を有する電子ペーパが、前記表示部が外部から視認可能なように付されたことを特徴とする。  
この構成によれば、電子ペーパの受信部に店の広告データを送信することにより、買い物袋に店の広告が表示されるので、マイバッグとして用いられる買い物袋に店の宣伝効果を持たせることができる。
【００１２】
その他、本願が開示する課題及びその解決方法は、発明を実施するための形態の欄、及び図面により明らかにされる。
【発明の効果】
【００１３】
本発明によれば、利用者が所有する買い物袋に店の宣伝効果を持たせることができる。
【図面の簡単な説明】
【００１４】
【図１】広告表示割引システム１の構成を示す図である。
【図２】電子ペーパ３のハードウェア構成を示す図である。
【図３】管理サーバ４のハードウェア構成を示す図である。
【図４】管理サーバ４の記憶部４６に記憶される電子ぺーパデータ４６Ａの構成を示す図である。
【図５】広告表示割引システム１の処理を示すフローチャートである。
【図６】電子ペーパ３のデータ表示例を示す図である。
【発明を実施するための形態】
【００１５】
以下、図面を参照しながら、本発明を実施するための形態を説明する。本発明の実施の形態に係る広告表示割引システムは、買い物袋に付された電子ペーパに対して、店内でその店の広告データ及び割引コードをダウンロードし、電子ペーパに広告データ及び割引コードを表示するとともに、表示された割引コードに応じて買い物の値引き等を行うものである。
【００１６】
≪システムの構成と概要≫
図１は、広告表示割引システム１の構成を示す図である。広告表示割引システム１は、電子ペーパ３、管理サーバ４、バーコードリーダ５及びレジ６を備える。電子ペーパ３は
マイバッグとして用いられる買い物袋２の表面に貼り付けられ、管理サーバ４からダウンロードされたデータが表示される。なお、電子ペーパ３は、買い物袋２に付され、少なくとも電子ペーパ３の表示面が周囲から見えるようになっていればよく、例えば、電子ペーパ３の一部が買い物袋２に固定されていてもよい。管理サーバ４は、スーパー等の店内に設置され、店の広告データや買い物の割引用のバーコードデータを記憶し、店の担当者の指示操作に応じてそれらのデータを電子ペーパ３に送信する。バーコードリーダ５は、電子ペーパ３に表示されたバーコードを読み取り、そのバーコードを割引用データ（例えば、割引率、割引額等の値）に変換し、その割引用データをレジ６に転送する。レジ６は、バーコードリーダ５から割引用データを受信し、その割引用データに基づいて買い物の精算を行う。
【００１７】
図２は、電子ペーパ３のハードウェア構成を示す図である。電子ペーパ３は、紙と同様に薄く、柔軟性を有するシート状の電子的な表示媒体であり、受信部３１及び表示部３２を備える。受信部３１は、無線や赤外線による通信で外部からデータを受信し、受信したデータを表示部３２に表示させる。表示部３２は、受信部３１が受信したデータを表示し、データの表示を電源なしで保持するものであり、青・緑・赤の３色の液晶を３層に重ねてフルカラー表示しており、ドライバの位置を液晶シートごとに変えて重なりを減らすことにより、紙と同様の厚みを実現している。なお、電子ペーパ３は、表示部３２が外部から視認可能なように買い物袋２に付される。
【００１８】
図３は、管理サーバ４のハードウェア構成を示す図である。管理サーバ４は、通信部４１、表示部４２、入力部４３、電子ペーパ読み書き部４４、処理部４５及び記憶部４６を備え、各部がバス４７を介してデータを送受信可能なように接続されている。通信部４１は、ネットワークを介して他の装置とＩＰ（Internet Protocol）通信等を行う部分であり、例えば、ＮＩＣ（Network Interface Card）等によって実現される。表示部４２は、処理部４５からの指示によりデータを表示する部分であり、例えば、液晶ディスプレイ（ＬＣＤ：Liquid Crystal Display）等によって実現される。入力部４３は、オペレータがデータ（例えば、割引用データ等）を入力する部分であり、例えば、キーボードやマウス等によって実現される。電子ペーパ読み書き部４４は、電子ペーパ３との間で無線や赤外線の通信によりデータを送受信することにより、電子ペーパ３の保持データを読み書きする。処理部４５は、所定のメモリを介して各部間のデータの受け渡しを行うととともに、管理サーバ４全体の制御を行うものであり、ＣＰＵ（Central Processing Unit）が所定のメモリに格納されたプログラムを実行することによって実現される。記憶部４６は、処理部４５からデータを記憶したり、記憶したデータを読み出したりするものであり、例えば、ＨＤＤ（Hard Disk Drive）やＳＳＤ（Solid State Drive）等の不揮発性記憶装置によって実現される。
【００１９】
≪データの構成≫
図４は、管理サーバ４の記憶部４６に記憶される電子ぺーパデータ４６Ａの構成を示す図である。電子ペーパデータ４６Ａは、管理サーバ４が電子ペーパ３に送信するデータであり、広告データ４６Ａ１及びバーコードデータ４６Ａ２を含む。広告データ４６Ａ１は、スーパー等の店の広告データであり、電子ペーパ３に表示されることにより、店を宣伝する効果を持つものである。バーコードデータ４６Ａ２は、店で所定時間後又は所定時期（例えば、翌日）から利用できる割引用のデータであり、利用可能期間、割引率や割引額がコード化されたバーコードが設定されるとともに、電子ペーパ３に表示され、バーコードリーダ５で読み取られることにより、店の客は割引のサービスを享受することができる。なお、広告データ４６Ａ１と、バーコードデータ４６Ａ２とが一体化されて電子ペーパ３にダウンロードされることもあれば、広告データ４６Ａ１だけがダウンロードされることもある。
【００２０】
≪システムの処理≫
図５は、広告表示割引システム１の処理を示すフローチャートである。まず、店の担当者は、所定時間後又は所定時期以降に利用できる割引サービスと引き換えにして、買い物袋２に店の広告データを表示してもらえるか否かを客に確認する。これは、レジ６での買い物の精算時でもよいし、買い物の途中でもよいし、来店時又は退場時でもよい。そして、客が広告データの表示にＯＫを出すと、店の担当者が管理サーバ４の入力部４３を操作して広告データ等のダウンロードの指示操作を行う。
【００２１】
管理サーバ４は、そのような店の担当者による指示操作を入力部４３から受けて、記憶部４６に記憶されている広告データ４６Ａ１及びバーコードデータ４６Ａ２を読み出し、それらを一体化した電子ペーパデータを電子ペーパ３に送信する（Ｓ５０１）。電子ペーパ３の受信部３１は、管理サーバ４から受信した電子ペーパデータを表示部３２に表示させる（Ｓ５０２）。これにより、買い物袋２の電子ペーパ３に、店の広告データ及び割引用のバーコードが表示される。図６は、電子ペーパ３のデータ表示例を示す図である。上から約３分の２のスペースに広告が表示され、右下にバーコードが表示されている。
【００２２】
このとき、客は、電子ペーパ３の表示部３２に表示されたデータを自分で消すことはできるが、広告データと、バーコードデータとは一体化したデータなので、広告だけを表示から消すことはできず、広告を消せばバーコードも消えてしまう。これによれば、客は、広告の表示を継続することにより、割引サービスというインセンティブを享受することができる。一方、店は、客に割引サービスというインセンティブを与えることによって、広告表示による店の宣伝効果を所定時間以上保持できるとともに、客に再び買い物に来てもらうことができる。
【００２３】
広告及びバーコードが表示された買い物袋２を持った客は、別の日に再び同じ店を訪れ、買い物をして、レジ６で精算してもらう前に、買い物袋２のバーコードをレジ６の担当者に見せる。レジ６の担当者は、バーコードにバーコードリーダ５をかざす。このとき、バーコードリーダ５は、電子ペーパ３に表示されたバーコードを読み取り、そのバーコードを割引用データに変換する（Ｓ５０３）。そして、変換後の割引データをレジ５に転送する（Ｓ５０４）。レジ６は、バーコードリーダ５から割引用データを受信し、買い物の精算に反映させる（Ｓ５０５）。例えば、買い物の合計額から、割引率に応じた額や一定の割引額を減算し、その減算値を精算額とする。これにより、客は、買い物袋２に広告を表示したことの引き換えに、割引サービスを受けたことになる。
【００２４】
なお、レジ６による精算の際、買い物袋２の電子ペーパ３に広告データをダウンロードするとともに、当該客に対して買い物の割引サービスを行ってもよく、レジ６は、担当者の入力操作により、広告データの表示に対する割引率等の値を取得し、その値に基づいて買い物の精算を行う。このとき、先にインセンティブを与えてしまうため、広告が継続して表示される保証がない（例えば、客が広告の表示を消すかも知れない）ので、強制的に電子ペーパ３が広告データを所定時間以上継続して表示するような措置をとることが望ましい。なお、先に客に対してインセンティブを与えるので、バーコードをダウンロードすることは不要である。
【００２５】
なお、上記実施の形態では、図１に示す広告表示割引システム１内の各装置（電子ペーパ３、管理サーバ４、バーコードリーダ５及びレジ６）を機能させるために、各装置のＣＰＵで実行されるプログラムをコンピュータにより読み取り可能な記録媒体に記録し、その記録したプログラムをコンピュータに読み込ませ、実行させることにより、本発明の実施の形態に係る広告表示割引システム１が実現されるものとする。この場合、プログラムをインターネット等のネットワーク経由でコンピュータに提供してもよいし、プログラムが書き込まれた半導体チップ等をコンピュータに組み込んでもよい。
【００２６】
以上説明した本発明の実施の形態によれば、マイバッグとして用いられる買い物袋２に貼り付けられた電子ペーパ３に、店の広告を所定時間以上継続して表示するので、店の宣伝効果を保持することができる。次に、管理サーバ４において、電子ペーパ３にダウンロードする広告データを適宜変更することにより、店の宣伝効果の向上を図ることができる。また、割引サービス（インセンティブ）を付与するタイミングにかかわらず、客は、店の広告が表示された買い物袋２を持って、他の同業者の店には行きづらいので、顧客を囲い込む効果も期待できる。
【００２７】
そして、上記のように、マイバックに店の宣伝効果を持たせることができるので、地球環境保護の一環であるマイバッグの普及の促進を図ることができる。さらに、顧客のデータを管理することなく、割引サービスを付与することができ、リピータ（常連）が増える可能性があるので、効率よく顧客を獲得、維持することができる。
【００２８】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００２９】
（１）上記実施の形態では、買い物客に与えるインセンティブとして割引サービス（割引率）を記載したが、他のインセンティブであってもよい。例えば、所定額の払い戻し（返金）や、ポイントの付与、景品の提供であってもよい。ただし、この場合、１つの広告に対して繰り返しインセンティブを与えてしまうのを防止するために、インセンティブを付与した後、バーコードを消去する。
【００３０】
（２）インセンティブを示すコードとしてバーコードを用いるように記載したが、他のコードであってもよい。例えば、ＱＲ（Quick Response）コード（登録商標）を用いるようにしてもよい。また、コードでなくても、文字やマークを表示し、それらを店の担当者が目視で確認して、インセンティブを付与してもよい。
【００３１】
（３）電子ペーパ３の表示部３２に表示される広告の大きさにより店の宣伝効果は異なる。そこで、管理サーバ４の記憶部４６に記憶される、広告データ４６Ａ１の大きさと、バーコードデータ４６Ａ２に含まれる買い物の割引率とを、表示部３２の大きさによって変えるようにしてもよい。このとき、表示部３２の大きさは、管理サーバ４が、電子ペーパ３から受信してもよいし、店の担当者が目視で認識して入力した大きさを取得してもよい。これによれば、広告の大きさによる店の宣伝効果に応じたインセンティブを与えることができる。
【符号の説明】
【００３２】
１      広告表示割引システム（広告表示報奨システム）
２      買い物袋
３      電子ペーパ
４      管理サーバ（サーバ）
５      バーコードリーダ（コードリーダ）
６      レジ
【図１】
2011185994.tif 000003
【図２】
2011185994.tif 000004
【図３】
2011185994.tif 000005
【図４】
2011185994.tif 000006
【図５】
2011185994.tif 000007
【図６】
2011185994.tif 000008